(57)【要約】【課題】  コンテンツの視聴を妨げることなく，コンテンツの制御部を簡易かつ容易に表示させることが可能なコンテンツ表示装置等を提供する。【解決手段】  所定のコンテンツ画像の画面表示と，当該コンテンツ画像を制御するための制御部の画面表示とを制御可能な画面表示制御手段を有するコンテンツ表示装置において，画面表示制御手段は，画面上に制御部を非表示とする場合には，画面上に所定の縦横比でコンテンツ画像を全画面表示し，画面上に制御部を表示する旨の指示があった場合には，制御部を予め設定された所定領域に表示すると共に，コンテンツ画像を，その縦横比を維持した状態で残余の領域に縮小表示する。【選択図】  図１
2006010760.tif 000002
【特許請求の範囲】
【請求項１】
所定のコンテンツ画像の画面表示と，当該コンテンツ画像を制御するための制御部の画面表示とを表示制御することが可能な画面表示制御手段を有するコンテンツ表示装置において，
前記画面表示制御手段は，
前記制御部を非表示にする場合には，前記画面上に所定の縦横比でコンテンツ画像を全画面表示し，
前記制御部を表示する場合には，前記制御部を予め設定された所定領域に表示すると共に，前記コンテンツ画像を，その縦横比を維持した状態で残余の領域に縮小表示する，
ことを特徴とするコンテンツ表示装置。
【請求項２】
前記画面上に表示され制御部は，その操作が所定時間おこなわれない場合には，自動的に非表示とされる，ことを特徴とする請求項１に記載のコンテンツ表示装置。
【請求項３】
前記制御部の表示は，前記コンテンツ表示装置の入力手段が押下されたことを検知して実行される，ことを特徴とする請求項１または２に記載のコンテンツ表示装置。
【請求項４】
前記コンテンツ表示装置の前記入力手段は，キーボードあるいはマウスである，ことを特徴とする請求項３に記載のコンテンツ表示装置。
【請求項５】
所定のコンテンツ画像の画面表示と，当該コンテンツ画像を制御するための制御部の画面表示とを表示制御することが可能な画面表示制御手段を有するコンテンツ表示装置におけるコンテンツ表示方法であって，
前記画面表示制御手段は，
前記画面上に所定の縦横比でコンテンツ画像を全画面表示し，
前記制御部を表示する旨の指示があった場合には，前記制御部を予め設定された所定領域に表示すると共に，前記コンテンツ画像を，その縦横比を維持した状態で残余の領域に縮小表示する，
ことを特徴とするコンテンツ表示方法。
【請求項６】
前記画面上に表示された制御部は，その操作が所定時間おこなわれない場合には，自動的に非表示とされる，ことを特徴とする請求項５に記載のコンテンツ表示方法。
【請求項７】
前記制御部の表示は，前記コンテンツ表示装置の入力手段が押下されたことを検知して実行される，ことを特徴とする請求項５または６に記載のコンテンツ表示方法。
【請求項８】
前記コンテンツ表示装置の前記入力手段は，キーボードあるいはマウスである，ことを特徴とする請求項７に記載のコンテンツ表示方法。
【請求項９】
コンピュータに対し，
画面上に所定の縦横比でコンテンツ画像を全画面表示し，
制御部を表示する旨の指示があった場合には，前記制御部を予め設定された所定領域に表示すると共に，前記コンテンツ画像を，その縦横比を維持した状態で残余の領域に縮小表示する，
ように機能させるためのプログラム。
【請求項１０】
コンピュータに対し，
画面上に所定の縦横比でコンテンツ画像を全画面表示し，
制御部を表示する旨の指示があった場合には，前記制御部を予め設定された所定領域に表示すると共に，前記コンテンツ画像を，その縦横比を維持した状態で残余の領域に縮小表示する，
ように機能させるためのプログラムを記録したコンピュータ読み取り可能な記録媒体。
【発明の詳細な説明】
【技術分野】
【０００１】
本発明は，コンテンツ表示装置，コンテンツ表示方法，プログラム及び記録媒体に関し，さらに詳細には，コンテンツを制御するための制御部を画面表示することが可能なコンテンツ表示装置，コンテンツ表示方法，プログラム及び記録媒体に関する。
【背景技術】
【０００２】
従来においては，例えば動画像コンテンツなどのコンテンツ画像を表示するコンテンツ表示装置においては，コンテンツを表示する画面表示領域とは別途の領域に制御ボタン群からなる制御部を表示させたり，必要に応じてコンテンツ画面上に制御ボタンを表示させることが行われていた。
【発明の開示】
【発明が解決しようとする課題】
【０００３】
しかしながら，上記コンテンツ画面表示領域とは別途の領域に制御部を表示する場合には，その領域には常に制御ボタン群からなる制御部が表示されているので，コンテンツ画面表示領域は，相対的に小さい表示領域となってしまう，という問題がある。
【０００４】
また，コンテンツ画面上に制御ボタン群からなる制御部を表示する場合には，ユーザが例えば動画コンテンツを視聴する際の妨げとなってしまう，という問題がある。さらに，その制御対象が制御ボタン群からなる制御部で隠れた部分に存在していた場合は，コンテンツ画面をスクロールさせるなど余分な操作が必要となる，という問題がある。さらに，制御ボタン群からなる制御部を非表示にする場合には，何らかのキー操作が必要であり，その操作が面倒である，という問題がある。
【０００５】
したがって，本発明の目的は，コンテンツ画像の視聴を妨げることなく，当該コンテンツ画像の制御部を簡易かつ容易に表示させることが可能な新規かつ改良されたコンテンツ表示装置，コンテンツ表示方法，プログラム及び記録媒体を提供することにある。 
【課題を解決するための手段】
【０００６】
上記課題を解決するため，本発明の第１の観点においては，所定のコンテンツ画像の画面表示と，当該コンテンツ画像を制御するための制御部の画面表示とを表示制御することが可能な画面表示制御手段を有するコンテンツ表示装置において，前記画面表示制御手段は，前記制御部を非表示にする場合には，前記画面上に所定の縦横比でコンテンツ画像を全画面表示し，前記制御部を表示する場合には，前記制御部を予め設定された所定領域に表示すると共に，前記コンテンツ画像を，その縦横比を維持した状態で残余の領域に縮小表示する，ことを特徴とするコンテンツ表示装置が提供される。
【０００７】
上記記載の発明では，制御ボタン群からなる制御部を画面表示する場合であっても，ユーザは，不快感を感じることなくコンテンツ画面全域を視聴し続けることができる。また，制御ボタン群からなる制御部を表示する際に，コンテンツ画面の一部が隠されることがないので，制御対象部分が隠されてスクロールさせるなどの余分な手間が発生することもない。
【０００８】
また，前記画面上に表示され制御部は，その操作が所定時間おこなわれない場合には，自動的に非表示とされる，如く構成すれば，制御ボタン群からなる制御部は，所定時間経過後に自動的に非表示とされてコンテンツ画面が全画面表示されるので，ボタンの押下等による制御部を非表示操作を行う手間が省略される。
【０００９】
また，前記制御部の表示は，前記コンテンツ表示装置の入力手段が押下されたことを検知して実行される，如く構成すれば，ユーザは，簡易かつ容易な動作で制御部を表示する旨の指示を出すことができる。
【００１０】
また，前記コンテンツ表示装置の入力手段は，キーボードあるいはマウスである，如く構成することができる。
【００１１】
上記課題を解決するため，本発明の第２の観点においては，所定のコンテンツ画像の画面表示と，当該コンテンツ画像を制御するための制御部の画面表示とを表示制御することが可能な画面表示制御手段を有するコンテンツ表示装置におけるコンテンツ表示方法であって，前記画面表示制御手段は，前記画面上に所定の縦横比でコンテンツ画像を全画面表示し，前記制御部を表示する旨の指示があった場合には，前記制御部を予め設定された所定領域に表示すると共に，前記コンテンツ画像を，その縦横比を維持した状態で残余の領域に縮小表示する，ことを特徴とするコンテンツ表示方法が提供される。
【００１２】
上記記載の発明では，制御ボタン群からなる制御部を画面表示する場合であっても，ユーザは，不快感を感じることなくコンテンツ画面全域を視聴し続けることができる。また，制御ボタン群からなる制御部を表示する際に，コンテンツ画面の一部が隠されることがないので，制御対象部分が隠されてスクロールさせるなどの余分な手間が発生することもない。
【００１３】
また，前記画面上に表示された制御部は，その操作が所定時間おこなわれない場合には，自動的に非表示とされる，如く構成すれば，制御ボタン群からなる制御部は，所定時間経過後に自動的に非表示とされてコンテンツ画面が全画面表示されるので，ボタンの押下等による制御部を非表示操作を行う手間が省略される。
【００１４】
また，前記制御部の表示は，前記コンテンツ表示装置の入力手段が押下されたことを検知して実行される，如く構成すれば，ユーザは，簡易かつ容易な動作で制御部を表示する旨の指示を出すことができる。
【００１５】
また，前記コンテンツ表示装置の入力手段は，キーボードあるいはマウスである，如く構成することができる。
【００１６】
上記課題を解決するため，本発明の第３の観点においては，コンピュータに対し，画面上に所定の縦横比でコンテンツ画像を全画面表示し，制御部を表示する旨の指示があった場合には，前記制御部を予め設定された所定領域に表示すると共に，前記コンテンツ画像を，その縦横比を維持した状態で残余の領域に縮小表示する，ように機能させるためのプログラムが提供される。
【００１７】
上記課題を解決するため，本発明の第４の観点においては，コンピュータに対し，画面上に所定の縦横比でコンテンツ画像を全画面表示し，制御部を表示する旨の指示があった場合には，前記制御部を予め設定された所定領域に表示すると共に，前記コンテンツ画像を，その縦横比を維持した状態で残余の領域に縮小表示する，ように機能させるためのプログラムを記録したコンピュータ読み取り可能な記録媒体が提供される。
【発明の効果】
【００１８】
本発明においては，制御ボタン群からなる制御部を画面表示する場合であっても，ユーザは，不快感を感じることなくコンテンツ画面全域を視聴し続けることができる。また，制御ボタン群からなる制御部を表示する際に，コンテンツ画面の一部が隠されることがないので，制御対象部分が隠されてスクロールさせるなどの余分な手間が発生することもない。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
まず，図１に基づいて，実施形態にかかるコンテンツ表示装置１０の構成を説明する。図１は，本実施形態にかかるコンテンツ表示装置１０の構成を示すブロック図である。なお，以下では，コンテンツ表示装置１０として，動画像コンテンツを再生表示する動画像再生装置を例に挙げて説明する。
【００２１】
まず，図１に示すように，本実施形態にかかる動画像再生装置（コンテンツ表示装置）１０は，動画像コンテンツを提供する動画像提供サーバ装置（図示せず）との通信を制御する通信制御装置１１０，動画像提供サーバ装置から送信された動画像コンテンツを表示する表示手段（ディスプレイ）１２０，コンテンツ表示装置１０の全体制御を実行するＣＰＵ１３０，情報データなどの各種データを入力するための入力手段１４０，動画像サーバ装置から送信された動画像データを記憶するための動画像データ記憶手段１５０，動画像データをデコード処理するためのデコーダ１６０，動画像データを読み出すための動画像データ読出手段１７０，動画像コンテンツの大きさや表示位置，及び動画像コンテンツの制御ボタン群からなる制御部の表示制御をおこなう画面表示制御手段１８０，などから構成される。
【００２２】
通信制御装置１１０は，動画像コンテンツを提供する動画像提供サーバとの通信を実行する装置である。なお，本実施形態においては，動画像提供サーバから動画像コンテンツを取得する構成を例に挙げて説明するが，本発明は，例えばＤＶＤなどの各種記録媒体や，予め動画像データを取得してハードディスクに格納されている場合においても実施することができる。
【００２３】
表示手段（ディスプレイ）１２０は，再生される動画像コンテンツなどのコンテンツを表示するための例えばディスプレイからなる表示手段である。本実施形態においては，表示手段１２０に動画像コンテンツのみを表示する場合には，動画像コンテンツが所定の縦横比（例えば，４：３，あるいは１６：９など）で全画面表示される。また，表示手段１２０上に当該動画像コンテンツの制御部を表示する場合には，制御部を予め設定された所定領域に表示すると共に，再生されている動画像コンテンツを，その縦横比を維持した状態で残余の領域に縮小表示される。
【００２４】
ＣＰＵ１３０は，動画像再生装置１０の全体制御を実行する。本実施形態においては，画面上に制御部を表示する旨の指示があった場合には，画面表示制御手段１８０に対して，制御部を予め設定された所定領域に表示し，かつ動画像コンテンツをその縦横比を維持した状態で残余の領域に縮小表示するように指示する。また，画面上に表示された制御部の操作が所定時間行われない場合には，画面表示制御手段１８０に対して制御部を非表示にするように指示する。
【００２５】
入力手段１４０は，ユーザがコンテンツ表示装置１０を各種操作するための手段であり，例えば，キーボードやマウスなどが含まれる。本実施形態においては，キーボードやマウスなどの入力手段の押下をトリガーとして，制御部が画面上に表示される。
【００２６】
動画像データ記憶手段１５０は，動画像サーバ装置から送信された動画像データを記憶するためのものであり，かかる動画像データは動画像データ読出手段１７０により抽出される。デコーダ１６０は，抽出された動画像データのデコードを実行して動画像コンテンツを再生する手段である。再生される動画像コンテンツは，動画像表示制御手段１８０により，所定の表示領域に表示される。動画像データ読出手段１７０は，ユーザにより指定された動画像データを動画像データ記憶手段１５０から読み出す手段である。
【００２７】
画面表示制御手段１８０は，再生される動画像コンテンツ及び当該動画像コンテンツを制御するための制御部を所定の表示位置に表示するように制御する手段である。かかる画面表示制御手段１８０により，動画像コンテンツの大きさや表示位置などの表示制御や，及び動画像コンテンツを制御するボタン群からなる制御部の表示あるいは非表示が実行される。本実施形態においては，動画像コンテンツのみを表示する場合には，動画像コンテンツが全画面表示される。一方，当該動画像コンテンツの制御部を表示する場合には，制御部を予め設定された所定領域に表示すると共に，動画像コンテンツを，その縦横比（例えば，４：３あるいは１６：９など）を維持した状態で残余の領域に縮小表示する。
【００２８】
本実施形態においては，当該動画像コンテンツの制御部を表示する場合には，制御部を予め設定された所定領域に表示すると共に，動画像コンテンツを，その縦横比を維持した状態で残余の領域に縮小表示する。このことにより，制御ボタン群からなる制御部を表示した場合であっても，動画像コンテンツの視聴を妨げずにユーザが不快感を感じることなくコンテンツ画面全域を視聴し続けることができる。また，制御ボタン群からなる制御部を表示する際に，コンテンツ画面の一部が隠されることがないので，制御対象部分が隠されてスクロールするなどの余分な手間が発生することはない。
【００２９】
次に，図２〜図５に基づいて，本実施形態にかかるコンテンツ表示方法について説明する。なお，図２は，本実施形態にかかるコンテンツ表示方法の動作フローを示すフローチャートである。なお，本実施形態においては，全画面表示された動画像コンテンツを視聴している際に，その制御部を表示する方法を例に挙げて説明する。
【００３０】
まず，ステップＳ１００で，例えば，アプリケーションを起動するなどして，動画像コンテンツの画面のみが表示画面上に全画面表示されている状態で，ユーザにより何らかのキーが押される（ステップＳ１００）。即ち，ユーザ端末装置１００の表示手段１２０上には，例えば，図３に示すように，オリンピックの動画像コンテンツが所定の縦横比（例えば，４：３あるいは１６：９など）で全画面表示されている。このとき，本実施形態においては，動画像コンテンツの再生中に，例えばキーやマウスなどの入力手段の操作が監視されており，何らかのキー操作があったと判断された場合には，動画像コンテンツの制御部の表示が行われる。
【００３１】
ステップＳ１００で，ユーザにより何らかのキーが押下されると，ステップＳ１０２に移行し，動画像コンテンツが表示されている画面の所定領域に制御部を表示すると共に，コンテンツ画面の縦横比（例えば，４：３あるいは１６：９など）を維持したまま縮小して表示する（ステップＳ１０２）。例えば，図４に示すように，制御ボタン群１２２４ａ〜１２２４ｈからなる制御部を画面下方の所定領域１２２４に表示すると共に，動画像コンテンツは残余の領域１２２２に，その縦横比を維持した状態で縮小表示される。また，制御部を表示画面の左方に表示する場合には，例えば，図５に示すように，制御ボタン群１２２４ａ’〜１２２４ｈ’からなる制御部を画面左方の所定領域１２２４’に表示すると共に，動画像コンテンツは残余の領域１２２２’に，その縦横比を維持した状態で縮小表示することができる。
【００３２】
このように，本実施形態においては，制御ボタン群からなる制御部を表示した場合であっても，動画像コンテンツの視聴を妨げずにユーザは不快感を感じることなくコンテンツ画面全域を視聴し続けることができる。また，制御ボタン群からなる制御部を表示する際に，コンテンツ画面の一部が隠されることがないので，制御部の制御対象部分が隠されてスクロールするなどの余分な手間が発生することはない。
【００３３】
その後，ステップＳ１０４で，制御部の制御ボタンが押下されたか否かが判断される（ステップＳ１０４）。制御ボタンが押下されたと判断される場合には，ステップＳ１０６に移行して，押下された制御ボタンに対応する制御を実行する（ステップＳ１０６）。
【００３４】
一方，制御ボタンが押下されないと判断される場合には，ステップＳ１０８に移行し，一定時間経過したか否かが判断される（ステップＳ１０８）。一定時間経過しないと判断される場合には，ステップＳ１０４に移行する。
【００３５】
ステップＳ１０８で，一定時間経過したと判断される場合には，ステップＳ１１０に移行して，制御部を非表示にして，コンテンツ画面のみを全画面表示する（ステップＳ１１０）。本実施形態においては，制御ボタン群からなる制御部は，所定時間経過後に自動で非表示とされるので，ボタンの押下等により制御部を非表示にする操作を行う手間が省略される。
【００３６】
このように，本実施形態においては，当該動画像コンテンツの制御部を表示する場合には，制御部を予め設定された所定領域に表示すると共に，動画像コンテンツを，その縦横比を維持した状態で残余の領域に縮小表示する。このことにより，制御ボタン群からなる制御部を表示した場合であっても，動画像コンテンツの視聴を妨げずにユーザが不快感を感じることなくコンテンツ画面全域を視聴し続けることができる。また，制御ボタン群からなる制御部を表示する際に，コンテンツ画面の一部が隠されることがないので，制御対象部分が隠されてスクロールするなどの余分な手間が発生することはない。
【００３７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００３８】
例えば，上記実施形態においては，制御部を画面下方あるいは画面左方に表示した例を挙げて説明したが，かかる例には限定されない。例えば，画面上方あるいは画面右方に表示することもできる。また，制御部の表示位置やサイズは，制御ボタン群に含まれる設定等で調整することもできる。
【００３９】
また，上記実施形態においては，アプリケーションの起動時に動画像コンテンツのみを表示する例を挙げて説明したが，かかる例には限定されない。例えば，アプリケーション起動時に，制御部を画面表示するように構成することもできる。なお，この場合には，表示画面中の所定領域に制御部を表示すると共に，コンテンツ画面の縦横比を維持したまま縮小して表示される（ステップＳ１０４）。また，この場合には，制御部が表示されて一定時間経過したと判断される場合には，制御部の表示を閉じて，コンテンツ画面のみが表示される（ステップＳ１０６〜ステップＳ１１０）。
【００４０】
また，上記実施形態においては，コンテンツ画面として，動画像コンテンツを表示する例を採用したが，かかる例には限定されない。例えば，静止画像コンテンツやテキストなどのコンテンツを表示する場合であっても実施することができる。
【産業上の利用可能性】
【００４１】
本発明は，コンテンツ表示装置等に適用可能であり，さらに詳細には，コンテンツを操作するための制御部を画面表示することが可能なコンテンツ表示装置等に適用可能である。
【図面の簡単な説明】
【００４２】
【図１】第１の実施の形態にかかるコンテンツ表示装置の構成を示すブロック図である。
【図２】第１の実施の形態にかかるコンテンツ表示方法の動作フローを示すフローチャートである。
【図３】第１の実施の形態にかかるコンテンツ画面のみが表示された状態を示す説明図である。
【図４】第１の実施の形態にかかる制御部が画面下部に表示された状態を示す説明図である。
【図５】第１の実施の形態にかかる制御部が画面左部に表示された状態を示す説明図である。
【符号の説明】
【００４３】
１０  コンテンツ表示装置
１１０  通信制御装置
１２０  表示手段（ディスプレイ）
１２２２  動画表示領域
１２２４  制御部表示領域
１３０  ＣＰＵ
１４０  入力手段
１５０  動画像データ記憶手段
１６０  デコーダ
１７０  動画像データ読出手段
１８０  表示制御手段
【図１】
2006010760.tif 000003
【図２】
2006010760.tif 000004
【図３】
2006010760.tif 000005
【図４】
2006010760.tif 000006
【図５】
2006010760.tif 000007